(57)【要約】【課題】インバータカバーの耐腐食性を向上させる。【解決手段】インバータ装置を収納するインバータ収容空間１５を形成するインバータケース１１と、インバータ収容空間１５の開口部を塞ぐインバータカバー１２とを備えている。インバータケース１１は、インローでインバータカバー１２と組み付けられ、インバータカバー１２がインバータ収容空間１５の開口部を塞いでいるときに、インバータカバー１２の端面２５に対向する端面対向面２４が形成されている。このようなインバータ一体型電動圧縮機は、インバータカバー１２の端面２５を腐食環境に暴露されにくくすることができ、インバータカバー１２の端面２５の腐食を抑制することができる。【選択図】図３
2015183525.tif 000002
【特許請求の範囲】
【請求項１】
直流電力を三相交流電力に変換するインバータ装置と、
前記三相交流電力を用いて冷媒を圧縮する電動圧縮機と、
が一体化されているインバータ一体型電動圧縮機において、
前記インバータ装置を収納するインバータ収容空間を形成するインバータケースと、
前記インバータ収容空間の開口部を塞ぐインバータカバーとを備え、
前記インバータケースは、前記インバータカバーが前記開口部を塞いでいるときに、前記インバータカバーの端面に対向する端面対向面が形成されているインバータ一体型電動圧縮機。
【請求項２】
前記端面と前記端面対向面との間に形成される隙間を塞ぐ液状ガスケットをさらに備える請求項１に記載のインバータ一体型電動圧縮機。
【請求項３】
前記インバータケースは、前記インバータカバーが前記開口部を塞いでいるときに、前記端面対向面が形成されている突起が前記インバータカバーの外側表面から突出している請求項２に記載のインバータ一体型電動圧縮機。
【請求項４】
前記インバータカバーは、積層鋼板から形成されている請求項１から請求項３のうちのいずれか一項に記載のインバータ一体型電動圧縮機。
【請求項５】
前記インバータカバーは、カチオン電着塗装により形成される皮膜で被覆されている請求項１から請求項４のうちのいずれか一項に記載のインバータ一体型電動圧縮機。
【発明の詳細な説明】
【技術分野】
【０００１】
本発明は、電動圧縮機のハウジングにインバータ装置が一体に組み込まれているインバータ一体型電動圧縮機に関する。
【背景技術】
【０００２】
インバータ装置が電動圧縮機に一体に組み込まれたインバータ一体型電動圧縮機が知られている。インバータ一体型電動圧縮機は、電気自動車やハイブリッド車等の車両に搭載される空調装置の冷媒を圧縮する圧縮機として用いられる。車両に搭載された電源ユニットから供給される高電圧の直流電力がインバータ装置によって所要周波数の三相交流電力に変換され、この三相交流電力を用いて電動圧縮機が駆動される。インバータ装置は、電動圧縮機のハウジング外周に設けられたインバータ収容部に組み込まれることによって一体化されている（特許文献１〜２参照）。
【先行技術文献】
【特許文献】
【０００３】
【特許文献１】特開２０１３−６０８１６号公報
【特許文献２】特開２０１２−４７１３９号公報
【発明の概要】
【発明が解決しようとする課題】
【０００４】
インバータ収容部を閉鎖するインバータカバーは、振動を抑えるために、積層鋼板（制振鋼板）から形成されている。積層鋼板は、インバータカバーとして利用されるときに、例えばカチオン電着塗装が施され、耐腐食性が向上されている。インバータカバーは、カチオン電着塗装が施された積層鋼板が適用された場合でも、加工時に端面に形成されるバリやダレの影響で、端面のカチオン電着塗装の膜厚が薄くなることがあり、端面が腐食しやすくなっている。積層鋼板は、端面が腐食すると剥離し、インバータカバーとして外観上または機能上好ましくない。
【０００５】
本発明は、このような事情に鑑みてなされたものであって、インバータカバーの耐腐食性を向上させるインバータ一体型電動圧縮機を提供することを目的とする。
【課題を解決するための手段】
【０００６】
上記した課題を解決するために、本発明のインバータ一体型電動圧縮機は、以下の手段を採用する。
すなわち、本発明によるインバータ一体型電動圧縮機は、直流電力を三相交流電力に変換するインバータ装置と、前記三相交流電力を用いて冷媒を圧縮する電動圧縮機と、が一体化されている。本発明によるインバータ一体型電動圧縮機は、前記インバータ装置を収納するインバータ収容空間を形成するインバータケースと、前記インバータ収容空間の開口部を塞ぐインバータカバーとを備えている。前記インバータケースは、前記インバータカバーが前記開口部を塞いでいるときに、前記インバータカバーの端面に対向する端面対向面が形成されている。
【０００７】
このようなインバータ一体型電動圧縮機は、インバータカバーの端面がインバータケースの端面対向面に対向することにより、インバータカバーの端面を腐食環境に暴露されにくくすることができ、インバータカバーの端面の耐腐食性を向上させることができる。
【０００８】
本発明によるインバータ一体型電動圧縮機は、前記端面と前記端面対向面との間に形成される隙間を塞ぐ液状ガスケットをさらに備えることもできる。
【０００９】
このようなインバータ一体型電動圧縮機は、液状ガスケットがインバータカバーの端面を被覆することにより、インバータカバーの端面が腐食環境に暴露されにくくすることができ、インバータカバーの耐腐食性を向上させることができる。
【００１０】
前記インバータケースは、前記インバータカバーが前記開口部を塞いでいるときに、前記端面対向面が形成されている突起が前記インバータカバーの外側面から突出している。
【００１１】
このようなインバータ一体型電動圧縮機は、インバータカバーとインバータケースとの間の隙間からはみ出た液状ガスケットを拭った場合でも、インバータカバーの端面に液状ガスケットを残留させることができ、インバータカバーの端を、腐食環境に暴露されにくくすることができ、インバータカバーの耐腐食性を向上させることができる。
【００１２】
前記インバータカバーは、積層鋼板から形成されている。
【００１３】
積層鋼板は、鋼板とゴムや樹脂等の弾性を有する板状体とが積層された構造とされているので、端面が腐食すると、複数の層が互いに剥離しやすくなり、外観上または機能上好ましくない。このようなインバータ一体型電動圧縮機は、インバータカバーの端面の腐食を防止することができることにより、端面が腐食しやすい積層鋼板をインバータカバーとして適用することができる。
【００１４】
前記インバータカバーは、カチオン電着塗装により形成される皮膜で被覆されている。
【００１５】
カチオン電着塗装の皮膜のうちのインバータカバーの端面を被覆する皮膜は、インバータカバーの加工時にインバータカバーの端面に形成されるバリやダレにより、インバータカバーの端面以外の部分を被覆する皮膜より薄くなる。このため、インバータカバーの端面は、端面以外の部分に比較して、腐食しやすい。このようなインバータ一体型電動圧縮機は、インバータカバーの端面の腐食を防止することができることにより、カチオン電着塗装された材料をインバータカバーとして適用することができる。
【発明の効果】
【００１６】
本発明によるインバータ一体型電動圧縮機は、インバータカバーの端面の耐腐食性を向上させることができる。
【図面の簡単な説明】
【００１７】
【図１】本発明の一実施形態にかかるインバータ一体型電動圧縮機を示す縦断面図である。
【図２】インバータ一体型電動圧縮機が備えるインバータカバーを示す平面図である。
【図３】図１のＡ部拡大図である。
【図４】インバータカバーの端面を示す縦断面図である。
【図５】比較例のインバータカバーとインバータケースとを示す拡大縦断面図である。
【図６】他のインバータカバーの端面を示す縦断面図である。
【発明を実施するための形態】
【００１８】
以下に、本発明の一実施形態にかかるインバータ一体型電動圧縮機について図面を参照して説明する。
【００１９】
インバータ一体型電動圧縮機１は、電気自動車やハイブリッド車等の車両に搭載される空調装置に備えられ、図１に示されるように、ハウジング２と電動圧縮機３とを備えている。ハウジング２は、内部に電動圧縮機収容空間５を形成している。ハウジング２は、さらに、図示されていない吸入ポートと吐出ポートとが形成されている。電動圧縮機３は、電動モータ８と圧縮機７とを備えている。電動モータ８は、電動圧縮機収容空間５に配置され、後述されるインバータ装置から供給される三相交流電力を用いて回転動力を生成する。圧縮機７は、電動圧縮機収容空間５に配置されている。圧縮機７は、電動モータ８により生成された回転動力を用いて、吸入ポートを介して外部から供給される冷媒を圧縮し、吐出ポートを介して、圧縮された冷媒を凝縮器に供給する。空調装置は、インバータ一体型電動圧縮機１により圧縮された冷媒を用いて車内の空調運転を行う。
【００２０】
インバータ一体型電動圧縮機１は、さらに、インバータケース１１とインバータカバー１２とインバータ装置１４とを備えている。インバータケース１１は、ハウジング２の電動圧縮機収容空間５の開口部を閉鎖するように、ハウジング２に固定されている。インバータケース１１は、さらに、内部にインバータ収容空間１５を形成している。インバータカバー１２は、概ね板状に形成され、インバータケース１１に形成されるインバータ収容空間１５の開口部を閉鎖するように、インバータケース１１に固定されている。インバータ装置１４は、インバータ収容空間１５に配置されている。インバータ装置１４は、図示されていない電源ユニットから供給される直流電力を三相交流電力に変換し、三相交流電力を電動モータ８に供給する。
【００２１】
インバータカバー１２は、図２に示されるように、異なる曲率とされた複数の曲部を有した複雑な形状に形成され、縁１６が複雑に屈曲している。インバータカバー１２には、さらに、複数の貫通孔１７が形成されている。インバータケース１１には、複数の貫通孔１７に対応する複数のネジ孔（図示せず）が形成されている。インバータ一体型電動圧縮機１は、さらに、複数の貫通孔１７に対応する複数のネジ（図示せず）を備えている。複数のネジは、複数の貫通孔１７にそれぞれ貫通し、複数のネジ穴にそれぞれ締結されることにより、インバータカバー１２をインバータケース１１に固定している。
【００２２】
インバータカバー１２は、インバータ収容空間１５の開口部を閉鎖するときに、図３に示されるように、インローによりインバータケース１１に取り付けられる。すなわち、インバータケース１１は、インバータカバー取り付け面２１と突起２２とが形成されている。インバータカバー取り付け面２１は、平面に沿うように形成されている。インバータカバー１２は、収容空間側表面２３がインバータカバー取り付け面２１に対向するように配置されることにより、インバータ収容空間１５の開口部を閉鎖する。
【００２３】
突起２２は、インバータカバー取り付け面２１から突出するように形成され、インバータカバー１２がインバータ収容空間１５の開口部を閉鎖するときに、インバータカバー１２の周囲を囲むように形成されている。突起２２には、端面対向面２４が形成されている。端面対向面２４は、インバータカバー取り付け面２１に垂直であるように形成され、インバータカバー１２がインバータ収容空間１５の開口部を閉鎖するときに、インバータカバー１２の端面２５に対向するように、形成されている。突起２２は、さらに、端面対向面２４がインバータカバー１２の端面２５から所定の距離（たとえば、０．５ｍｍ）だけ離れるように、形成されている。
【００２４】
突起２２は、さらに、インバータカバー１２がインバータ収容空間１５の開口部を閉鎖するときに、インバータカバー１２の外側面２６より突出するように形成されている。すなわち、突起２２は、インバータカバー１２の板厚（たとえば、０．８ｍｍ）以上にインバータカバー取り付け面２１から突出するように形成され、端面対向面２４のインバータカバー１２の厚さ方向の幅がインバータカバー１２の板厚以上になるように形成されている。
【００２５】
インバータケース１１とインバータカバー１２との間に形成される隙間には、例えばシリコン系とされた液体ガスケット２７が設けられている。具体的には、液体ガスケット２７は、インバータケース１１の端面対向面２４とインバータカバー１２の収容空間側表面２３との間に配置されている。液体ガスケット２７は、インバータケース１１とインバータカバー１２との間の隙間に配置されることにより、その間の隙間を介して湿分を含んだ空気等が侵入することを防止し、インバータ収容空間１５を密閉している。
【００２６】
図４には、インバータカバー１２の縦断面が示されている。インバータカバー１２は、第１鉄板層３１と第２鉄板層３２と樹脂層３３とが積層された積層鋼板から形成されている。樹脂層３３は、第１鉄板層３１と第２鉄板層３２との間に配置されている。インバータカバー１２は、さらに、カチオン電着塗装により形成される皮膜３４により積層鋼板が被覆されている。インバータカバー１２は、樹脂層３３により振動を吸収することにより、振動を低減することができる。
【００２７】
皮膜３４のうちの端面２５を被覆する部分は、積層鋼板の打抜き加工等の加工時に端面２５に形成されるバリやダレの影響で、皮膜３４のうちの収容空間側表面２３または外側面２６を被覆する部分に比較して、膜厚が薄くなることがある。このため、インバータカバー１２は、端面２５が腐食しやすくなっている。
【００２８】
以上に説明の構成により、本実施形態によれば、以下の作用効果を奏する。インバータ一体型電動圧縮機１は、インバータ装置１４がインバータケース１１のインバータ収容空間１５に設置された後に、液体ガスケット２７がインバータケース１１のインバータカバー取り付け面２１と端面対向面２４とに塗布される。インバータカバー１２は、液体ガスケット２７がインバータカバー取り付け面２１と端面対向面２４とに塗布された後に、位置決めピン、治具等を用いて端面対向面２４に垂直に移動させ、収容空間側表面２３がインバータカバー取り付け面２１に対向するように、かつ、端面２５が端面対向面２４に対向するように、インバータケース１１に取り付けられる。インバータカバー１２は、インバータケース１１の所定の位置に取り付けられた後に、複数のネジを用いてインバータケース１１に固定される。
【００２９】
液体ガスケット２７は、複数のネジによりインバータカバー１２がインバータケース１１に押さえ付けられることにより、インバータケース１１とインバータカバー１２との隙間から押し出される。インバータカバー１２は、液体ガスケット２７がインバータケース１１とインバータカバー１２との隙間から押し出されることにより、端面２５が液体ガスケット２７により確実に被覆される。押し出された液体ガスケット２７は、外観状懸念がある場合には、ヘラ等で拭われ、平滑化される。液体ガスケット２７は、押し出された液体ガスケット２７が平滑化された場合でも、インバータケース１１の突起２２がインバータカバー１２の外側面２６より突出していることにより、インバータカバー１２の端面２５を被覆するように確実に残留する。
【００３０】
インバータカバー１２は、端面２５がインバータケース１１の端面対向面２４に対向し、端面２５が液体ガスケット２７に被覆されることにより、端面２５が腐食環境に暴露されにくくなり、端面２５が腐食することが防止される。
【００３１】
図５は、比較例のインバータケース１１１とインバータカバー１１２とを示している。インバータケース１１１は、内部にインバータ収容空間１１５を形成している。インバータケース１１１は、さらに、平面に沿うインバータカバー取り付け面１２１が形成されている。インバータカバー１１２は、概ね板状に形成され、液体ガスケット１２７を介して収容空間側表面１２３がインバータカバー取り付け面１２１に対向するように配置されることにより、インバータ収容空間１１５の開口部を閉鎖する。このとき、インバータカバー１１２の端面１２５は、液体ガスケット１２７に被覆されず、腐食環境に暴露されるため、腐食しやすい。
【００３２】
これに対して本実施形態におけるインバータカバー１２は、インバータケース１１にインローで取り付けられることにより、端面２５が液体ガスケット２７で被覆され、比較例のインバータカバー１１２に比較して、端面２５が腐食環境に暴露されにくくなり、端面２５が腐食することが防止される。
【００３３】
なお、インバータカバー１２は、表面がカチオン電着塗装された積層鋼板にから形成されるものに限られず、他の材料から形成されることもできる。図６は、他の材料から形成されるインバータカバー４１を示している。インバータカバー４１は、積層部材４２とアルミメッキ鋼板４３とが接着層４４を介して接着されている。積層部材４２は、第１ゴム層４５と第２ゴム層４６と鉄板４７とを備えている。積層部材４２は、鉄板４７が第１ゴム層４５と第２ゴム層４６との間に挟まれるように、積層されることにより形成されている。アルミメッキ鋼板４３は、アルミメッキにより形成されるアルミ皮膜４８が鉄板４９に被覆されることにより形成されている。インバータカバー４１は、端面に鉄板４７の端面がむき出しになっていることから、端面が腐食しやすい。
【００３４】
インバータカバー４１は、既述の実施の形態におけるインバータカバー１２と同様にして、インバータケース１１に取り付けられる。このとき、インバータカバー４１は、端面がインバータケース１１の端面対向面２４に対向し、または、端面が液体ガスケット２７に被覆されることにより、端面が腐食環境に暴露されにくくなり、端面が腐食することが防止される。すなわち、インバータ一体型電動圧縮機１は、インバータカバーの端面を腐食環境に暴露されにくくすることができ、端面が腐食しやすい材料から形成されるインバータカバーとして適用することができる。
【符号の説明】
【００３５】
１  ：インバータ一体型電動圧縮機
２  ：ハウジング
３  ：電動圧縮機
５  ：電動圧縮機収容空間
７  ：圧縮機
８  ：電動モータ
１１：インバータケース
１２：インバータカバー
１４：インバータ装置
１５：インバータ収容空間
２１：インバータカバー取り付け面
２２：突起
２３：収容空間側表面
２４：端面対向面
２５：端面
２６：外側面
２７：液体ガスケット
３１：第１鉄板層
３２：第２鉄板層
３３：樹脂層
３４：皮膜
４１：インバータカバー
【図１】
2015183525.tif 000003
【図２】
2015183525.tif 000004
【図３】
2015183525.tif 000005
【図４】
2015183525.tif 000006
【図５】
2015183525.tif 000007
【図６】
2015183525.tif 000008